(57)【要約】【課題】切花を簡単に水に挿した状態で梱包でき、使用後の処分も容易な切花輸送用の保水容器を提供することを課題とする。【解決手段】段ボール製の枠体１と、プラスチックフィルム製の袋２とから成り、枠体１のブランクを、一対の起立板３を両端部で繋ぎ、その繋部に横方向の中折線４を入れ、各起立板３に縦方向の胴折線５を入れると共に、繋部間の貫穴に臨む堰止板６及びその両側に隣接して中折線に臨む折込部７を設けた構成とし、このブランクを中折線４に沿って二つ折りにしておき、切花の梱包時に折込部７を折り込みつつ、堰止板６を巻き込むように折り曲げ、起立板３を両側から押し撓めて胴折線５沿いに屈曲させると、枠体１が角筒状に組み立てられると共に、袋２が開口してその開口部が内側へ折り込まれ、漏水防止用の鍔が形成されるようにする。【選択図】図１
2006124027.tif 000002
【特許請求の範囲】
【請求項１】
外箱の底部に挿入して、切花を水に挿した状態で輸送する切花輸送用の保水容器において、段ボール製の枠体と、プラスチックフィルム製の袋とから成り、枠体のブランクを、一対の起立板を両端部で繋ぎ、その繋部に横方向の中折線を入れ、各起立板に縦方向の胴折線を入れると共に、繋部間の貫穴に臨む堰止板を設けた構成とし、このブランクを中折線に沿って二つ折りにしておき、切花の梱包時に起立板を両側から押し撓めて胴折線沿いに屈曲させると、枠体が組み立てられると共に、袋が開口し、その開口部の内側へ堰止板を折り曲げると、漏水防止用の鍔が形成されるようにしたことを特徴とする切花輸送用の保水容器。
【請求項２】
請求項１に記載の切花輸送用の保水容器において、枠体のブランクでは、繋がれた一対の起立板を対称な同一形状とし、堰止板の両側に隣接して中折線に臨むように折込部を設け、枠体の組立時に、折込部を中央で谷折りにして折り込みつつ、堰止板を巻き込むように折り曲げ、重ね合わせた起立板を両側から押し撓めて胴折線沿いに屈曲させると、枠体が角筒状となり、堰止板の折曲状態が折込部で保持されるようにしたことを特徴とする切花輸送用の保水容器。
【請求項３】
請求項１に記載の切花輸送用の保水容器において、枠体のブランクでは、一方の起立板の両端の胴折線を、他方の起立板の２本の胴折線より外側に位置させ、一方の起立板から堰止板を延出し、他方の起立板に２本の胴折線を横切る切目線を入れて、その上方に折込部を設け、枠体の組立時に、重ね合わせた起立板の両端部を外箱の内面に沿うように同方向へ折り曲げ、折込部を屈曲させて、上方から堰止板を押さえるようにしたことを特徴とする切花輸送用の保水容器。
【請求項４】
請求項１に記載の切花輸送用の保水容器において、枠体のブランクでは、一方の起立板の両端の胴折線を、他方の起立板の２本の胴折線より外側に位置させ、他方の起立板の２本の胴折線間から堰止板を延出し、枠体の組立時に、重ね合わせた起立板の両端部を外箱の内面に沿うように同方向へ折り曲げ、堰止板の両端から延びる折曲部を起立板の両端部外面に沿うように折り曲げて係止することにより、堰止板の折曲状態を保持すると共に、枠体の形状を保持するようにしたこと特徴とする切花輸送用の保水容器。
【発明の詳細な説明】
【技術分野】
【０００１】
この発明は、切花を水に挿して鮮度を保ちつつ、輸送できるようにした切花輸送用の保水容器に関するものである。
【背景技術】
【０００２】
従来、切花輸送用の梱包体として、図１０に示すように、段ボール製の外箱５１及び台枠５２から成り、外箱５１の底部に台枠５２を挿入し、この台枠５２で鉢状の容器５３を保持して、容器５３に入れた土に切花５４を植えたままの状態で、切花５４を輸送できるようにしたものが使用されている（下記特許文献１参照）。
【０００３】
【特許文献１】実公平４−３９１３２号公報（第５図）
【発明の開示】
【発明が解決しようとする課題】
【０００４】
ところで、上記のような梱包体の容器５３に水を入れ、切花を水に挿した状態で輸送する際には、外箱５１が倒れても水が漏れないように、容器５３として開口部に中心方向への鍔を有するプラスチック成形体を使用することがある。
【０００５】
しかしながら、このような梱包体では、切花の梱包に際し、台枠５２の組み立てや容器５３のセットに手間がかかり、輸送先での開梱後に不要となった容器５３が嵩高い不燃ごみとして発生するという問題がある。
【０００６】
そこで、この発明は、切花を簡単に水に挿した状態で梱包でき、使用後の処分も容易な植物の湿式輸送容器を提供することを課題とする。
【課題を解決するための手段】
【０００７】
上記課題を解決するため、この発明は、外箱の底部に挿入して、切花を水に挿した状態で輸送する切花輸送用の保水容器において、段ボール製の枠体と、プラスチックフィルム製の袋とから成り、枠体のブランクを、一対の起立板を両端部で繋ぎ、その繋部に横方向の中折線を入れ、各起立板に縦方向の胴折線を入れると共に、繋部間の貫穴に臨む堰止板を設けた構成とし、このブランクを中折線に沿って二つ折りにしておき、切花の梱包時に起立板を両側から押し撓めて胴折線沿いに屈曲させると、枠体が組み立てられると共に、袋が開口し、その開口部の内側へ堰止板を折り曲げると、漏水防止用の鍔が形成されるようにして、プラスチック成形体を使用することなく、水漏れを防止でき、梱包時の作業性も確保されるようにしたのである。
【０００８】
なお、上記切花輸送用の保水容器において、枠体のブランクでは、繋がれた一対の起立板を対称な同一形状とし、堰止板の両側に隣接して中折線に臨むように折込部を設け、枠体の組立時に、折込部を中央で谷折りにして折り込みつつ、堰止板を巻き込むように折り曲げ、重ね合わせた起立板を両側から押し撓めて胴折線沿いに屈曲させると、枠体が角筒状となり、堰止板の折曲状態が折込部で保持されるようにしてもよい。
【０００９】
また、上記切花輸送用の保水容器において、枠体のブランクでは、一方の起立板の両端の胴折線を、他方の起立板の２本の胴折線より外側に位置させ、一方の起立板から堰止板を延出し、他方の起立板に２本の胴折線を横切る切目線を入れて、その上方に折込部を設け、枠体の組立時に、重ね合わせた起立板の両端部を外箱の内面に沿うように同方向へ折り曲げ、折込部を屈曲させて、上方から堰止板を押さえるようにしてもよい。
【００１０】
さらに、上記切花輸送用の保水容器において、枠体のブランクでは、一方の起立板の両端の胴折線を、他方の起立板の２本の胴折線より外側に位置させ、他方の起立板の２本の胴折線間から堰止板を延出し、枠体の組立時に、重ね合わせた起立板の両端部を外箱の内面に沿うように同方向へ折り曲げ、堰止板の両端から延びる折曲部を起立板の両端部外面に沿うように折り曲げて係止することにより、堰止板の折曲状態を保持すると共に、枠体の形状を保持するようにしてもよい。
【発明の効果】
【００１１】
このような保水容器では、切花の出荷に際し、二つ折りにされた枠体のブランクを組み立てるだけで、袋が開口して、袋への水と切花の収容が可能となり、出荷に伴う作業の負担が軽減され、また、輸送中に外箱が倒れても、堰止板により水漏れが防止される。
【００１２】
そして、使用後には、枠体から袋を分離し、袋を嵩低く丸めた状態で、不燃物として処分することができる。
【発明を実施するための最良の形態】
【００１３】
まず、この発明の第１実施形態に係る切花輸送用の保水容器を、図１乃至図３に基づいて説明する。図１に示すように、この保水容器は、六角柱状に組み立てられる段ボール製の枠体１にプラスチックフィルム製の袋２を内装したものである。
【００１４】
枠体１のブランクでは、図２に示すように、一対の起立板３が両端部で繋がれ、その繋部に横方向の中折線４が入れられている。各起立板３には、両側及び中間部に縦方向の胴折線５が４本ずつ間隔をおいて入れられると共に、繋部間の貫穴に臨む堰止板６及びその両側に隣接して中折線４に臨む折込部７が設けられている。
【００１５】
また、一方の起立板３には、両側の胴折線５の外側部分に先端側が広がったテーパ状の係合片８が設けられ、他方の起立板３には、係合片８に対応する位置に、係合片８より幅が狭い角形の係合穴９が形成されている。
【００１６】
上記のような枠体１のブランクと袋２から保水容器を製造する際には、図３に示すように、枠体１のブランクを中折線４に沿って二つ折りにした状態で、袋２を起立板３の内側に接着剤や粘着テープで貼り付ける。ここで、袋２としては、通常の平袋を使用することができる。このような折畳状態で保水容器を保管しておくと、嵩張ることがない。
【００１７】
そして、この保水容器を使用して切花を梱包する際には、図１に示すように、折込部７を中央で谷折りに折り込みつつ、堰止板６を巻き込むように折り曲げ、起立板３を両側から押し撓めて胴折線５沿いに屈曲させると、枠体１が角筒状に組み立てられると共に、袋２が開口して、その開口部が内側へ折り込まれ、漏水防止用の鍔が形成される。
【００１８】
その後、係合片８を係合穴９に押し込むと、起立板３の両側部同士が引き寄せられた状態で固定され、枠体１の形状が維持されるので、袋２に水を入れ、切花を収容することが可能となる。
【００１９】
このように、上記保水容器では、切花の出荷に際し、二つ折りにされた枠体１のブランクを組み立てるだけで、袋２が開口し、袋２に水と切花を収容できるので、出荷に伴う作業の負担が軽減される。また、枠体１の組み立てに伴い、袋２の開口部が堰止板６と共に折り込まれて鍔が形成されるので、輸送中に外箱が倒れても、水漏れすることがない。
【００２０】
そして、切花が送り先に到着して梱包体を開梱した後においては、外箱から取り出した枠体１から袋２を引き剥がし、袋２を嵩低く丸めた状態で、不燃物として処分することができるので、不燃ごみの減量化を図ることができる。
【００２１】
なお、上記第１実施形態では、保形性を向上させるため、係合片８及び係合穴９を設けて、起立板３の両端部同士を係合させることとしたが、外箱へ挿入すると、起立板３の折曲状態は維持されるので、係合片８及び係合穴９は省略することもできる。
【００２２】
また、袋２を起立板３の内側に貼り付けたが、袋２が枠体１から脱落しなければ、袋２の開口部付近を堰止板６に貼り付けてもよく、袋２の開口部付近を両側へ張り出させて、その張出部分を折込部７に貼り付けるようにしてもよい。
【００２３】
次に、この発明の第２実施形態に係る切花輸送用の保水容器を、図４乃至図６に基づいて説明する。図４に示すように、この保水容器は、変形四角筒状に組み立てられる段ボール製の枠体１にプラスチックフィルム製の袋２を内装したものである。
【００２４】
枠体１のブランクでは、図５に示すように、一対の起立板３が両端部で繋がれ、その繋部に横方向の中折線４が入れられている。図中上側の起立板３には、縦方向の胴折線５が４本間隔をおいて入れられ、その両端の胴折線５は、下側の起立板３に間隔をおいて入れた縦方向の２本の胴折線５よりも外側に位置している。
【００２５】
一対の起立板３の繋部間には、上側の起立板３の両端の胴折線５に亘る部分に台形状の貫穴が形成され、この貫穴に臨んで上側の起立板３から堰止板６が延出されている。堰止板６には、中間の胴折線５の延長上に折込を補助する罫線が入れられている。下側の起立板３の２本の胴折線５を横切る切目線の上方には、折込部７が設けられ、この折込部７にも折込を補助する罫線が入れられている。
【００２６】
上記のような枠体１のブランクと袋２から保水容器を製造する際には、図６に示すように、枠体１のブランクを中折線４に沿って二つ折りにした状態で、袋２を起立板３の内側に接着剤や粘着テープで貼り付ける。ここで、袋２としては、通常の平袋を使用することができる。このような折畳状態で保水容器を保管しておくと、嵩張ることがない。
【００２７】
そして、この保水容器を使用して切花を梱包する際には、図４に示すように、重ね合わせた起立板３の両端部を外箱の内面に沿うように同方向へ折り曲げ、起立板３を両側から押し撓めて、胴折線５沿いに屈曲させると、枠体１が変形四角筒状に組み立てられると共に、袋２が開口する。
【００２８】
その後、堰止板６を巻き込むように折り曲げ、折込部７をコ字状に屈曲させて、上方から堰止板６を押さえると、袋２の開口部が堰止板６により内側へ折り込まれ、漏水防止用の鍔が形成される。
【００２９】
このような保水容器では、上記第１実施形態のものと同様、梱包作業を容易に行うことができ、堰止板６の方向へ外箱が倒れても水漏れが防止されるほか、起立板３の両端部を外箱の内面に沿うように折り曲げているので、袋２の容積に対して外箱を小さくすることができ、切花を効率的に輸送できる。
【００３０】
次に、この発明の第３実施形態に係る切花輸送用の保水容器を、図７乃至図９に基づいて説明する。図７に示すように、この保水容器もまた、変形四角筒状に組み立てられる段ボール製の枠体１にプラスチックフィルム製の袋２を内装したものである。
【００３１】
枠体１のブランクでは、図８に示すように、一対の起立板３が両端部で繋がれ、その繋部に横方向の中折線４が入れられている。図中上側の起立板３には、縦方向の胴折線５が４本間隔をおいて入れられ、その両端の胴折線５は、下側の起立板３に間隔をおいて入れた縦方向の２本の胴折線５よりも外側に位置している。
【００３２】
一対の起立板３の繋部間には、上側の起立板３の両端の胴折線５に亘る部分に長方形状の貫穴が形成され、この貫穴に臨んで下側の起立板３には、２本の胴折線５に挟まれた部分に堰止板６が連設されている。堰止板６の両端には折曲部６ａ及び係合片６ｂが順次連設され、下側の起立板３の２本の胴折線５の外側には係合穴３ａが形成されている。
【００３３】
上記枠体１のブランクと袋２から保水容器を製造する際には、図９に示すように、枠体１のブランクを中折線４に沿って二つ折りにした状態で、袋２を起立板３及び堰止板６の内側に接着剤や粘着テープで貼り付ける。ここで、袋２としては、通常の平袋を使用することができる。このような折畳状態で保水容器を保管しておくと、嵩張ることがない。
【００３４】
そして、この保水容器を使用して切花を梱包する際には、図７に示すように、重ね合わせた起立板３の両端部を外箱の内面に沿うように同方向へ折り曲げ、起立板３を両側から押し撓めて、胴折線５沿いに屈曲させると、枠体１が変形四角筒状に組み立てられると共に、袋２が開口する。
【００３５】
その後、堰止板６を袋２の開口部と共に内側へ折り曲げると、漏水防止用の鍔が形成され、折曲部６ａを起立板３の両端部外面に沿わせて下方へ折り曲げ、係合片６ｂを係合穴３ａに押し込むと、堰止板６の折曲状態が保持され、また、枠体１の形状が保持される。
【００３６】
このような保水容器では、上記第２実施形態のものと同様、梱包作業を容易に行うことができ、堰止板６の方向へ外箱が倒れても水漏れが防止されるほか、起立板３の両端部を外箱の内面に沿うように折り曲げているので、袋２の容積に対して外箱を小さくすることができ、切花を効率的に輸送できる。
【００３７】
なお、上記各実施形態では、枠体１のブランクに袋２を貼り付けることとしたが、袋２として、例えば、把手付のレジ袋を使用する場合には、レジ袋の把手部分を枠体１から引き出し、起立板３の両端部に形成した切込に引っ掛けるようにして、枠体１に袋２を固定するようにしてもよい。
【図面の簡単な説明】
【００３８】
【図１】この発明の第１実施形態に係る保水容器の組立状態を示す斜視図
【図２】同上の枠体のブランクを示す図
【図３】同上の折畳状態を示す斜視図
【図４】この発明の第２実施形態に係る保水容器の組立状態を示す斜視図
【図５】同上の枠体のブランクを示す図
【図６】同上の折畳状態を示す斜視図
【図７】この発明の第３実施形態に係る保水容器の組立状態を示す斜視図
【図８】同上の枠体のブランクを示す図
【図９】同上の折畳状態を示す斜視図
【図１０】従来の切花の梱包体を示す斜視図
【符号の説明】
【００３９】
１  枠体
２  袋
３  起立板
３ａ  係合穴
４  中折線
５  胴折線
６  堰止板
６ａ  折曲部
６ｂ  係合片
７  折込部
８  係合片
９  係合穴
【図１】
2006124027.tif 000003
【図２】
2006124027.tif 000004
【図３】
2006124027.tif 000005
【図４】
2006124027.tif 000006
【図５】
2006124027.tif 000007
【図６】
2006124027.tif 000008
【図７】
2006124027.tif 000009
【図８】
2006124027.tif 000010
【図９】
2006124027.tif 000011
【図１０】
2006124027.tif 000012